【事件の表示】
　上記当事者間の特許第３４４１８０３号発明「遊技機等のコイン選別装置」の特許無効審判事件について、次のとおり審決する。
【結　論】
　本件審判の請求は、成り立たない。
　審判費用は、請求人の負担とする。
【理　由】
第１．手続の経緯
　本件特許第３４４１８０３号の請求項１乃至６に係る発明は、平成６年７月１９日に特願平６−１８７８８０号として特許出願されたものであって、平成１５年６月２０日に設定登録がなされ、その後、平成１５年１２月２６日付けで佐藤亮より異議２００３−７３４９３号として別件の特許異議の申立てがなされ、ついで平成１６年１１月２５日付けで石井豪より本件無効審判請求がなされ、平成１６年１２月１３日付けで被請求人に対して本件無効審判に係る答弁が指令され、平成１７年２月１４日付けで被請求人から答弁書が提出され、平成１７年６月１６日付けで本件無効審判に係る手続中止通知がなされ、平成１７年６月１７日付けで前記特許異議の申立てに係る取消理由通知がなされ、その指定期間内である平成１７年８月２９日付けで前記異議事件における訂正請求がなされ、平成１７年１１月２９日付で訂正を認め特許を維持する旨の異議決定がなされ、平成１７年１２月２２日付けで本件無効審判に係る手続中止解除通知がなされ、平成１８年１月６日付けで訂正後の本件特許発明について無効審判請求人に審尋がなされ、無効審判請求人から審尋に対する応答がなかったものである。
　　　　　　　　　
第２．本件発明（下線部訂正箇所）
　本件特許第３４４１８０３号の請求項１乃至６に係る発明は、別件の異議２００３−７３４９３号事件において平成１７年１１月２９日付で訂正が認められたから、当該訂正明細書及び図面の記載からみて、その特許請求の範囲の請求項１乃至６に記載された以下の事項により特定されるものである（以下、「本件発明１乃至６」という。）。
【請求項１】　投入されたコインの中から適正なコインを選別し、不適正なコインを排出する遊技機等のコイン選別装置において、
　基板、該基板の一方の面に取り付けられた押し板、及び前記基板において前記押し板を取り付けた面に設置された案内部材により、適正
な外径の
　前記コイン通路に対して移動可能で
かつ
として規定される、ガイド端と前記コイン通路の通路面との間隔
、前記適正な外径のコインが入ってきた場合には該適正な外径のコインの端が拘束されるとともに、前記適正な外径のコインよりも小径のコインが入ってきた場合には該小径のコインの上端が引っ掛からないように設置され
　前記コイン通路における前記可動ガイド板が
存在することにより前記
な外径の
自ら
前記可動ガイド板が前記コインの厚み方向の間隔を前記適正な外径のコインの厚さより僅かに大きくとる位置にあるコイン受付可能状態、及び前記可動ガイド板が前記コインの厚み方向の間隔を前記適正な外径のコインの厚さよりも大きくとる位置にあるコイン受付不可能状態のいずれの場合でも、
、前記適正な外径のコインが前記コイン通路を通過する場合には該コインに押されて引っ込むような力に定められ
【請求項２】請求項１記載のコイン選別装置において、前記可動ガイド板と連動して少なくとも先端部が
、前記第１突起部材を前記通路面から没して前記適正な外径のコインがその自重によって前記第１突起部材を通過した後の
の通路面
の通路面
、前記第１突起部材を通過した前記
な外径
の通路面
【請求項３】請求項２記載のコイン選別装置において、前記第１突起部材と前記第２突起部材の各々の先端部には、コインの移動方向に傾斜した円弧状の斜面が形成されているコイン選別装置。
【請求項４】請求項１記載のコイン選別装置において、前記第１突起部材の先端部が前記コイン通路
の通路面
【請求項５】請求項４記載のコイン選別装置において、第２検出器として
、その先端部が前記コイン通路の通路面から突出したときは全てのコインを前記コイン通路の途中で排出させる第２突起部材を通過した後の
互いに近接して配置された
であり、前記コイン通路の通路面に配置され、前記コインの通過を検出して検出信号を出力する１個目の検出器と、該１個目の検出器を前記適正な外径のコインがその自重によって通過した後の前記コイン通路の通路面に配置され、前記コインの通過を検出して検出信号を出力する２個目の検出器と、を含んで構成される複数の検出器
【請求項６】請求項１記載のコイン選別装置において、前記押し板は、前記コイン通路を通るコインの厚み方向
の間隔として規定される前記基板の一方の面上に形成された前記コイン通路の通路面と前記押し板との間隔が
操作者が前記遊技機のコイン返却ボタンを押していない場合には、
を通る
の
が、前記操作者が前記コイン返却ボタンを押す場合には、該コイン返却ボタンと連動して、前記コイン通路を通るコインの厚み方向の間隔が大きく開くように取り付けられている
  　　
第３．当事者の求めた審判
１．請求人の主張　
　請求人は、審判請求書において、下記の甲第１号証乃至甲第５号証を提出して、特許第３４４１８０３号の特許を無効とする、審判費用は被請求人の負担とする、との審決を求めることを請求の趣旨とし、本件発明１乃至６の特許を無効とすべき理由として、本件発明１乃至６は、刊行物である下記の甲第１号証乃至甲第４号証に記載の発明に基いて当業者が容易に発明をすることができたものであるから、特許法第２９条第２項の規定に違反して特許されたものであり、本件発明１乃至６の特許は、同法第１２３条第１項第２号の規定により、無効にすべきものである、旨主張している。
　甲第１号証：実願平１−８８４６号（実開平３−５８４８９号）
　　　　　　　のマイクロフィルム
　甲第２号証：実願昭６３−７２６５６号（実開平１−１７５３８０号）
　　　　　　　のマイクロフィルム
　甲第３号証：実願昭６３−１０００１８号（実開平２−２３７７６号）
　　　　　　　のマイクロフィルム
　甲第４号証：特開平４−２５３８８３号公報
　甲第５号証：特許第３４４１８０３号公報（本件特許公報）
　　　　　　　　
２．被請求人の主張
　被請求人は、答弁書において、本件審判の請求は成り立たない、審判費用は請求人の負担とする、との審決を求め、無効審判の請求人が主張する、無効の理由について、本件発明１乃至６は、進歩性を有するから、本件特許は、特許法第２９条第２項の規定に違反しておらず、同法第１２３条第１項第２号の規定により、無効とされるべきではない、旨主張している。
　　　　　　　　　　　　　　 　　　　
第４．当審の判断
１．甲各号証に記載の発明
（１）甲第１号証に記載の発明
　甲第１号証〔実願平１−８８４６号（実開平３−５８４８９号）のマイクロフィルム〕には、以下の事項が記載されている。
　「メダルゲーム機の盤面に設けられた投入口Ｈから投入されたメダルを選別し、返却すべきメダルをメダルゲーム機の盤面に設けられた返却口へ返却し、返却する必要のないメダルをカウントすると共にホッパーＪへ送り込むメダルセレクターに於て、投入口ＨからホッパーＪに向かって順に、入口部Ａ、選別返却部Ｇ、通過検出部Ｃ、及び送り込み部Ｅという各ユニットが配置され、これらの各ユニットによって投入口ＨからホッパーＪに向かって下方傾斜させたメダル通路が形成されると共に、選別返却部Ｇを制御するための制御部Ｆなるユニットを有するメダルセレクターであって、入口部Ａは、投入口Ｈから投入されたメダルを本メダルセレクター内に取り込んで選別返却部Ｇに送るためのためのユニットであり、選別返却部Ｇは、返却する必要のないメダルを通過検出部Ｃを通して送り込み部Ｅへ送り込み、返却すべきメダルを返却口へと返却するユニットであって、メダルの外径が所定の外径と異なる場合にそのメダルを返却するための選別手段と盤面に設けられたキャンセルボタンを押すこと又は制御部Ｆからの命令が出たことによってメダルを返却するための返却手段とによってメダルの返却を行うユニットであり、通過検出部Ｃは、選別返却部Ｇから送り込み部Ｅへ送り込まれるメダルをその途中で検知しその旨を制御部Ｆへ伝達するためのユニットであり、送り込み部Ｅは、通過検出部Ｃを通過してきたメダルをホッパーＪに送り込むためのユニットであり、制御部Ｆは、通過検出部Ｃで検知したメダルの枚数をカウントしその枚数が規定枚数に達した後にメダルが投入された場合、又はゲームがスタートし終了するまでの間に更にメダルが投入された場合に、返却手段を作動させる命令を発する機能を有するユニットである、ということを特徴とするメダルセレクター。」（第１頁第５行〜第３頁第４行）、
　「○９　第１１図に示すように、指定寸法メダルよりも小さな外径のメダルであってその直径が底部Ａ１２から横穴Ａ１６上端までの距離よりも短いメダルが外径選別部Ｂに送られてきた場合、そのメダルはその周面下端を底部Ａ１２にて支えられるものの上端が縦部Ａ１１に支持されないので、横孔Ａ１６に向かって倒れる。それと同時に、第１２図に示すように、底部Ａ１２に接していたメダルの円周面の下部は底部Ａ１２から外れて平板Ａ２の欠設部より突出する。その結果、そのメダルは平板Ａ２の欠設部から下方へ落下することとなり、その後返却口へ送られる。
○１０　第１３図に示すように、指定寸法メダルよりも大きな外径のメダルであってその直径が底部Ａ１２から大径押え板Ｂ２下端までの距離よりも長いメダルが外径選別部Ｂに送られてきた場合、そのメダルは入口部Ａではその周面下端を底部Ａ１２にて支えられ、円形面を縦部Ａ１１にて支えられているが、やがて外径選別部Ｂに至ると、円周面上部が大径抑え板Ｂ２の側面にぶつかるのでメダル通路内をそれ以上進むことができず、外径選別部Ｂにとどまる。このときプレーヤーは、投入したメダルによってゲーム機に反応が起きないことに気づき、メダル詰まりであろうということを考えてキャンセルボタンを押す。すると、キャンセルボタンに連動している押し出し部材Ｂ１と平板Ａ２とが回動し、押し出し部材Ｂ１の下端が横孔Ａ１６から突出してメダルの平面の下部を押し、メダルの下端が底部Ａ１２から外れ、回動する前に位置していた平板Ａ２の欠設部付近からメダルが落下する。その後、落とされたメダルは返却口へ返却される。この作業を行う機構を第１返却機構ＢＡとする。
○１１　○１０にて説明したメダルを返却する作業は、指定寸法メダルよりも大きな外径のメダルが外径選別部Ｂに送られてきた場合について説明したが、この場合に限られない。指定寸法メダル、或いは指定寸法メダルよりも小さな外径のメダルが外径選別部Ｂに送られてきた場合であっても、そのメダルが何等かの原因によって外径選別部Ｂを通過できずに詰まってしまった場合には、プレーヤーがキャンセルボタンを押して第１返却機構ＢＡを作動させることによってそのメダルを返却させる。
（６）通過制御部Ｄは、制御部Ｆからの作動命令を受けて、外径選別部Ｂから送られてきたメダルを送り込み部Ｅへ送り込むことなく返却口へ返却するという作業を制御するユニットである。」（第１１頁第１２行〜第１３頁第２０行）、
　「（４）入口部Ａ及び選別返却部Ｇの具体的な構成は、次のようなものである。
○１　入口部Ａは、第３図に示すように、基板Ａ１の縦部Ａ１１とその縦部Ａ１１の下端から指定寸法メダルの厚さよりも若干長く折り曲げられた底部Ａ１２によってメダル通路のひとつの側面と底面とをなし、縦部Ａ１１と平行である平板Ａ２の下端を底部Ａ１２の先端に位置させて形成される。この入口部Ａにおける縦部Ａ１１と平板Ａ２とは、投入口Ｈに向かって外側に開いており、投入されるメダルを迎え易くしている。
○２　選別返却部Ｇは、第５図、第６図に示すように、入口部Ａから連続した縦部Ａ１１と底部Ａ１２とからなる基板Ａ１、同じく入口部Ａから連続し上端を縦部Ａ１１の上部に軸支させた平板Ａ２、基板Ａ１の反平板Ａ２側を囲うようにして縦部Ａ１１の上部に取り付けられる断面形状が「コ」の字形の固定部材Ｇ１、その固定部材Ｇ１に取り付けられるものであって平板Ａ２と後記する押し出し部材Ｂ１とを同時に回動させるための回動手段としてのソレノイドＧ２、縦部Ａ１１と固定部材Ｇ１とによって形成される内部空間に位置し上端を縦部Ａ１１の上部に軸支された断面「く」字形の押し出し部材Ｂ１、及び基板Ａ１と平板Ａ２とによって形成されるメダル通路の内部空間の上部に相当する縦部Ａ１１に固定される大径迎え板Ｂ２、とから形成される。
○３　選別返却部Ｇにおける基板Ａ１は、入口部Ａでは断面形状略「Ｌ」字形であった基板Ａ１の上部を外側に折り曲げて、その折り曲げた部分を上部Ａ１３とする。その上部Ａ１３には、固定部材Ｇ１の上部の一端を固定するための軸受部Ａ１４であって軸方向がメダル通路の内部空間の長手方向に平行であるものを備えている。その軸受部Ａ１４には、回動軸Ａ１５が位置している。更にその回動軸Ａ１５には、平板Ａ２と押し出し部材Ｂ１とを平板Ａ２を縦部Ａ１１方向に付勢するための第１図に示すようなコイルスプリングＡ１７が巻き付けられている。
○４　選別返却部Ｇにおける縦部Ａ１１の中央付近には、横長の長方形をした横孔Ａ１６が設けてある。その横孔Ａ１６の上端は底部Ａ１２の上面からの高さが指定寸法メダルの外径よりも短く形成され、下端は底部Ａ１２の上面からの高さが指定寸法メダルの半径よりも短い高さに形成され、且つその横幅は指定寸法メダルの外径よりも長くなっている。
○５　平板Ａ２は、入口部Ａにおいては底部Ａ１２にまで達しているものの、選別返却部Ｇではその下端から指定寸法メダルの半径ほどの高さまでを欠設している。」（第３２頁第１５行〜第３５頁第５行）、
　「（３）プレーヤーがゲーム機に規定枚数以下のメダルしか投入していないにも拘ず、ゲームのスタートボタンを押したとする。
○１　スタートボタンが押された旨を制御部Ｆが検知する。
○２　制御部Ｆは、ソレノイドＧ２を励起させる命令を発する。すると、押し出し部材Ｂ１と平板Ａ２とが、ソレノイドＧ２のスライダーＧ２１の突出によってコイルスプリングＡ１７に抗して回動する。即ち、平板Ａ２が反縦部Ａ１１側に回動してメダル通路の側面をなさなくなると同時に押し出し部材Ｂ１の下端が横孔Ａ１６から突出してメダル通路であった空間を横切る。
○３　ここで、ゲームのスタートボタンが押された後であってそのゲームが終了するまでの間に、プレーヤーが誤ってメダルを更に投入してしまったとする。すると、ソレノイドＧ２が励起し、押し出し部材Ｂ１と平板Ａ２とがコイルスプリングＡ１７に抗して回動する。このとき、メダル通路が押し出し部材Ｂ１によって塞がれていると同時に平板Ａ２がメダル通路の側面をなしていないので、そのメダルは選別返却部Ｇに入った途端に選別返却部Ｇから落下し返却口から返却される。」（第４４頁第１３行〜第４５頁第１５行）。
　　　
（２）甲第２号証に記載の発明
　i．甲第２号証〔実願昭６３−７２６５６号（実開平１−１７５３８０号）のマイクロフィルム〕には、以下の事項が記載されている。
　「コイン検選構造は、投入口１と、この投入口１に連通するコイン通路２と、このコイン通路２の片側（一方側）に設けられ、コイン通路２へ突出するバネレバー３を備えたマイクロスイッチ４と、コイン通路２の他方側に設けられ、バネレバー３に対向する異種硬貨逃がし孔２３とから成る。」（第５頁第１１〜１６行）、
　「上記コイン通路２は、投入コインＡの厚みに対応する距離を開いた一対の対向板（フレーム）２１、２１ａにより構成されている。一方の対向板（コイン通路２の片側）２１には、後述するレバー出没用孔２２を開口し、他方の対向板２１ａにはこのレバー出没用孔２２に対応する位置に、異種硬貨逃がし孔２３を開口している。この異種硬貨逃がし孔２３は、正硬貨（１００円硬貨）径よりも小さく設定、つまり正硬貨が逃がし孔２３より外方へ脱落しないように、且つ異種硬貨（正硬貨径より小さい５０円硬貨、５円硬貨、１円硬貨）Ｂを脱落させるように設定してある。前記マイクロスイッチ４は、上記コイン通路２を構成する一方の対向板２１の外側に配備され、可動ボタン４１に対応する位置にバネレバー３を備えている。このバネレバー３は、屈曲先端部３１を有し、この屈曲先端部３１を上記レバー出没用孔２２に臨出させ、他方の対向板２１ａ側に附勢されている。バネレバー（屈曲先端部３１）３は、常態においてコイン通路２に突出している。正硬貨（１００円硬貨）Ｃが、投入された場合、このレバー（屈曲先端部３１）３が正硬貨Ｃにより押圧され、可動ボタン４１側へ後退することで、マイクロスイッチ４がＯＮするようになっている。」（第６頁第３行〜第７頁第６行）、
　「５０円硬貨Ｂは、この逃がし孔２３径より小さいため、上記バネレバー３により外方向へ押され、逃がし孔２３より脱落する。」（第８頁第１０〜１２行）、
　「１００円硬貨Ｃは逃がし孔２３径より大きく設定してある。従って、逃がし孔２３より脱落することがなく、対向板２１ａに当接した状態でそのまま降下する。この時、バネレバー３をバネ附勢力に抗して可動ボタン４１側へ後退させる。これにより、マイクロスイッチ４の可動ボタン４１が後退し、マイクロスイッチ４内で可動接点が固定接点（図示せず）に接触することで、正硬貨Ｃの検出が実行される。更に、正硬貨Ｃがレバー３を通過し、コイン収容ボックス５方向へ降下する時、レバー３はバネ力でコイン通路２に突出復帰する。以後、投入されるコインは同様に処理され、正硬貨Ｃの３回の検出が行われた時、マイクロスイッチ ４ の電気信号の例えばカウンタによるカウントアップ信号によりテレビの電源がＯＮする。」（第８頁第１９行〜第９頁第１３行）。
　ii．以上の記載及び図面によれば、甲第２号証には、以下の発明（以下、「引用発明」という。）が記載されているものと認められる。
　「投入コインＡの厚みに対応する距離を開いた一対の対向板２１、２１ａにより構成されるコイン通路２と、該コイン通路２を構成する一方の対向板２１の開口に突出復帰可能に設けられ、バネ力でコイン通路２へ突出する屈曲先端部３１を有するバネレバー３と、前記バネレバー３に対向する他方の対向板２１ａに開口し、正硬貨径よりも小さく設定される異種硬貨逃がし孔２３とから成り、前記異種硬貨逃がし孔２３の径より小さい異種硬貨を前記バネレバー３により外方向に押してコイン通路２から脱落させ、逃がし孔２３の径より大きい正硬貨により前記バネレバー３を押圧して可動ボタン４１側へ後退させることで前記対向板２１ａに当接した状態でコイン通路２を通過させるとともに、前記バネレバー３が押圧されることにより正硬貨の検出を行い電気信号を出力するマイクロスイッチ４を備えたコイン検選構造。」
　　　　
（３）甲第３号証に記載の発明
　甲第３号証〔実願昭６３−１０００１８号（実開平２−２３７７６号）マイクロフィルム〕には、以下の事項が記載されている。
　「リヤ基板とフロント基板の間に径大硬貨が転動可能な巾を有する径大硬貨案内通路をリヤ基板に隣接して設け、該径大硬貨案内通路の入口部フロント基板側に垂直窓と水平窓を連設した径小硬貨排出窓を設け、該径小硬貨排出窓に隣接した下方に径小硬貨が転動可能な巾を有する径小硬貨案内通路を形成して、フロント基板に隣接して設け、前記垂直窓に揺動自在に、自己復帰性を有した径小硬貨押出しプレートをリヤ基板側から径小硬貨案内通路上へと硬貨の落下方向に従って漸次広く突出させて設け、前記水平窓に揺動自在に、自己復帰性を有する如く突設した径小硬貨排出プレートをリヤ基板側から径小硬貨案内通路上へと硬貨の転動方向に従って漸次広く突出させ、前記フロント基板に径小硬貨落下窓を上記水平窓と同位置に形成したことを特徴とする硬貨振り分け機構。」（第１頁第５〜２０行）、
　　　
（４）甲第４号証に記載の発明
　甲第４号証〔特開平４−２５３８８３号公報〕には、以下の事項が記載されている。
　「【請求項１】　メダルゲーム機内に備えられる投入メダル検出装置あって、メダルゲーム機のメダル投入口から投入されるメダルをメダルゲーム機内に取り入れるためのメダル通路、そのメダル通路を通過するメダルを各々が連続して検知する複数のメダルセンサー、及びメダルセンサーがメダルを検知した旨の情報を、メダル通路におけるメダル投入口に近い位置に関するものからメダル投入口に遠い位置に関するものへと順に受け取った場合にメダルが投入されたことを確認するような制御部を設けて形成したことを特徴とする投入メダル検出装置。
【請求項２】　メダルゲーム機内に備えられる投入メダル検出装置であって、メダルゲーム機のメダル投入口から投入されるメダルゲームをメダルゲーム機内に取り入れるためのメダル通路、そのメダル通路を通過するメダルを各々が連続して検知する２つのメダルセンサー、及びそのメダルセンサーがメダルを検知した旨の情報を判断する制御部、を備え、各メダルセンサーは、メダル通路内にメダルを検知する他の検知部間距離を、当該メダルゲーム機に使用される適正なメダルの直径よりも小さくなるように配置され、制御部は、まずメダル投入口に近い位置にあるメダルセンサーのみが検知し、ついでメダル投入口から遠い位置にあるメダルセンサーが関知し、次にメダル投入口から近い位置にあるメダルセンサーのみが検知を終了し、最後にメダル投入口から遠い位置にあるメダルセンサーが検知を終了する、という順序で各メダルセンサーが検知することを確認し、メダル投入口から近い位置にあるメダルセンサーのみが検知している時間、メダル投入口から近い位置にあるメダルセンサー及びメダル投入口から遠い位置にあるメダルセンサーが検知している時間、及びメダル投入口から遠い位置にあるメダルセンサーのみが検知している時間のいずれもが所定時間内であることを確認した場合に、メダルゲーム機へのメダル投入を認識するように形成したことを特徴とした投入メダル検出装置。」（第２頁第１欄第２〜３５行）。
　　　
２．本件発明１について
（１）本件発明１と引用発明との対比
　本件発明１と引用発明（甲第２号証に記載された発明）とを対比すると、引用発明における「適正なコイン」、「不適正なコイン」、「対向板２１」、「コイン通路２」、「コイン検選構造」は、本件発明１における「正硬貨」、「異種硬貨」、「基板」、「コイン通路」、「遊技機等のコイン選別装置」にそれぞれ相当する。
　また、引用発明における「コイン通路２」が、本件発明１における「案内部材」の如き部材をもって形成されていることは自明の技術事項である。
　そして、引用発明は、投入コインＡの厚みに対応する距離を開いた一対の対向板２１、２１ａによりコイン通路２を構成し、そのうちの対向板２１ａに、正硬貨径よりも小さく設定される異種硬貨逃がし孔２３が開口されるものであるから、引用発明の「対向板２１ａ」は、本件発明１の「可動ガイド板」と対比して、両者は、「ガイド端とコイン通路の通路面との間隔がコイン通路を通るコインの厚み方向の間隔として規定され、適正な外径のコインが入ってきた場合には該適正な外径のコインの端が拘束されるとともに、適正な外径のコインよりも小径のコインが入ってきた場合には該小径のコインの上端が引っ掛からないように設置されたガイド板」として共通する。
　さらに、引用発明は、コイン通路２を構成する一方の対向板２１の開口に突出復帰可能に設けられ、バネ力でコイン通路２へ突出する屈曲先端部３１を有するバネレバー３を備え、径の小さい異種硬貨を前記バネレバー３により外方向に押してコイン通路２から脱落させ、径の大きい正硬貨をこれにより前記バネレバー３を押圧して後退させることで対向板２１ａに当接した状態でコイン通路２を通過させるものであるから、引用発明の「バネレバー３」は、本件発明１の「第１突起部材」と対比して、両者は、「コイン通路におけるガイド板が存在することにより適正な外径のコインを拘束する位置で先端部が自ら出没可能に設けられ、その先端部が突出するように付勢され、前記適正な外径のコインがコイン通路を通過する場合には該コインに押されて引っ込むような力に定められている突起部材」として共通する。
　そうすると、本件発明１と引用発明は、下記の点で一致並びに相違するものと認められる。
　一致点．「投入されたコインの中から適正なコインを選別し、不適正なコインを排出する遊技機等のコイン選別装置において、
　基板、及び前記基板に設置された案内部材により、適正な外径のコインがその自重によって通過できるように形成されたコイン通路と、
　ガイド端と前記コイン通路の通路面との間隔が該コイン通路を通るコインの厚み方向の間隔として規定され、前記適正な外径のコインが入ってきた場合には該適正な外径のコインの端が拘束されるとともに、前記適正な外径のコインよりも小径のコインが入ってきた場合には該小径のコインの上端が引っ掛からないように設置されたガイド板と、
　前記コイン通路における前記ガイド板が存在することにより前記適正な外径のコインを拘束する位置で先端部が自ら出没可能に設けられ、その先端部が突出するように付勢され、前記適正な外径のコインが前記コイン通路を通過する場合には該コインに押されて引っ込むような力に定められている突起部材とを備えたコイン選別装置。」
　相違点Ａ．コイン通路が、本件発明１は、基板及び案内部材とともに、基板の一方の面に取り付けられた押し板により形成されるのに対し、引用発明は、基板及び案内部材により形成され、押し板を備えていない点。
　相違点Ｂ．ガイド板が、本件発明１は、コイン通路に対して移動可能でかつ、ガイド端と前記コイン通路の通路面との間隔を変更可能に設置された可動ガイド板であるのに対し、引用発明は、コイン通路に対して移動不可能でかつ、ガイド端と前記コイン通路の通路面との間隔を変更不可能に設置された固定の対向板２１ａである点。
　相違点Ｃ．突起部材が、本件発明１は、コインの厚み方向の間隔を適正な外径のコインの厚さより僅かに大きくとる位置にあるコイン受付可能状態、及びコインの厚み方向の間隔を適正な外径のコインの厚さよりも大きくとる位置にあるコイン受付不可能状態のいずれかをとる可動ガイド板であるのに対し、引用発明は、コインの厚み方向の間隔を適正な外径のコインの厚さより僅かに大きくとる位置にあるコイン受付可能状態のみをとる固定の対向板２１ａである点。
　　　　
（２）相違点の検討
　まず、前記相違点Ａについては、甲第１号証には、プレーヤーがキャンセルボタンを押したり、あるいは制御部Ｆからの作動命令を受けると、コイン通路を形成する平板Ａ２と押し出し部材Ｂ１とが回動し、押し出し部材Ｂ１がメダルを押して平板Ａ２の欠設部付近から該メダルを落下させて返却口へ返却するようにした発明が記載されており、前記「平板Ａ２」が本件発明１の「押し板」に相当するから、引用発明に、前記甲第１号証に記載の発明を適用して、前記相違点Ａに係る本件発明１のように構成することは、当業者が容易に想到できるものである。
　しかるに、前記相違点Ｂ及びＣに係る本件発明１の特徴的構成については、引用発明を含め前記甲第１号証乃至甲第４号証のいずれにも、何ら開示も示唆もされておらず、当業者が容易に想到できる事項とも認められない。
　そして、本件発明１は、前記相違点Ｂ及びＣに係る構成が共働して、ガイド端との間隔を適正な外径のコインの厚さより僅かに大きくとるコイン受付可能状態では適正な外径のコインのみを通過させるとともに小径のコインを排出させ、また、ガイド端との間隔を適正な外径のコインの厚さより大きくとるコイン受付不可能状態では適性あるいは不適正を問わずすべてのコインを排出させるという、異なる２つのコイン選別機能をもって切換可能であるという作用効果を奏するものであることが明らかである。
　　
（３）まとめ
　よって、本件発明１は、甲第１号証乃至甲第４号証に記載された発明に基づいて当業者が容易に発明をすることができたものとすることはできないから、本件発明１の特許は、特許法第２９条第２項の規定に違反してされたものではない。
　　　
３．本件発明２乃至６について
　本件発明２乃至６は、いずれも本件発明１の構成を具備し、これを更に限定した発明である。
　したがって、前記２．に記載したのと同様の理由で、本件発明２乃至６は、甲第１号証乃至甲第４号証に記載の発明に基づいて当業者が容易に発明をすることができたものとすることはできないから、本件発明２乃至６の特許は、特許法第２９条第２項の規定に違反してされたものではない。
　　　　
４．まとめ
　以上のとおりであるから、本件発明１乃至６が特許法第２９条第２項の規定により特許を受けることができない旨の請求人の主張は、失当である。
　　　　　　　　　
第５．むすび
　以上のとおり、本件発明１乃至６は、特許法第２９条第２項の規定に違反して特許されたものではないから、請求人の主張及び証拠方法によっては、本件発明１乃至６の特許は、無効とすることはできない。
　審判に関する費用については、特許法第１６９条第２項の規定で準用する民事訴訟法第６１条の規定により、請求人が負担すべきものとする。
　よって、結論のとおり審決する。